(57)【特許請求の範囲】
【請求項１】
シリンダ錠の主キーガイドの前方に該主キーガイドと共に回動できるようにした副キーガイドを装着し、この副キーガイドの前方部に前方を広くした四角錐状の第１案内孔を設けると共に、副キーガイドの後方部に第1案内孔及び主キーガイドの鍵孔に連なる四角柱状の第２案内孔を設け、第１案内孔の最後部の横断面形及び第２案内孔の横断面形は共に主キーガイドの鍵孔の正面形に外接する大きさとすると共に、第１案内孔、第２案内孔、及び主キーガイドの鍵孔はそれぞれの中心軸線を一致させ、以て、主キーガイドの前方に長い案内孔を形成可能にすると共に、第１及び第２案内孔の接続部によって鍵の中心軸線の傾きを正して鍵孔のそれと一致させるようにし、一方、上記第１及び第２案内孔に亘る内壁面に鍵孔の中心軸線に平行な逃し溝を形成し、その切り残された末端の当接部に鍵の突起又は鍵のつまみの前端縁を当接させることにより鍵の差込み深さを規制するようにしたことを特徴とするシリンダ錠における鍵の差込み案内装置。
【発明の詳細な説明】
【０００１】
【発明の属する技術分野】
この発明は、シリンダ錠における鍵の差込み案内装置の改良に関する。
【０００２】
【従来の技術】
従来のシリンダ錠における鍵の差込み案内装置としては、シリンダ錠の主キーガイドの前方に該主キーガイドと共に回動するようにした副キーガイドを装着し、その副キーガイドの前面にすり鉢状の凹陥部を形成し、主キーガイドの鍵孔と整合する鍵の挿入穴を前記の凹陥部の壁面に設けたものを挙げることができる。このような技術は例えば実開平３―６１０７４号公報に示され公知である。
【０００３】
前記の従来装置によれば、主キーガイド前面の鍵孔を目掛けて鍵を差し向ければ、鍵先が多少ぶれても該鍵先は副キーガイドの凹陥部における円錐状傾斜面に沿って誘導案内されるので、鍵はかなり楽に錠の主キーガイドに差込むことができる。
【０００４】
しかしながら、その差込み操作において、鍵先が凹陥部の底部に至った時点を考えると、手指で持たれた鍵は中心軸線の回りに回動が自由であり、また、中心軸線の傾動が自由であるため、鍵先は鍵孔に対し正確には整合しない。
【０００５】
そこで、操作者は、主キーガイドの鍵孔に鍵を差込む最終段階では鍵先で探るようにして鍵の位置を微妙に調整しなくてはならない。
【０００６】
この差込み操作は、操作者が不器用な人や老年者であったりすると、依然としてなかなか面倒なことである。
【０００７】
【発明が解決しようとする課題】
この発明のシリンダ錠における鍵の差込み案内装置は、操作者が不器用な人や老年者であっても鍵の差込み操作を極めてスムーズに行えるようにすることを目的として提案されたものである。
【０００８】
【課題を解決するための手段】
上記の目的を達成するため、この発明は、シリンダ錠の主キーガイドの前方に該主キーガイドと共に回動できるようにした副キーガイドを装着し、この副キーガイドの前方部に前方を広くした四角錐状の第１案内孔を設けると共に、副キーガイドの後方部に第1案内孔及び主キーガイドの鍵孔に連なる四角柱状の第２案内孔を設け、第１案内孔の最後部の横断面形及び第２案内孔の横断面形は共に主キーガイドの鍵孔の正面形に外接する大きさとすると共に、第１案内孔、第２案内孔、及び主キーガイドの鍵孔はそれぞれの中心軸線を一致させ、以て、主キーガイドの前方に長い案内孔を形成可能にすると共に、第１及び第２案内孔の接続部によって鍵の中心軸線の傾きを正して鍵孔のそれと一致させるようにし、一方、上記第１及び第２案内孔に亘る内壁面に鍵孔の中心軸線に平行な逃し溝を形成し、その切り残された末端の当接部に鍵の突起又は鍵のつまみの前端縁を当接させることにより鍵の差込み深さを規制するようにしたことを特徴とする。
【０００９】
【発明の実施の形態】
以下、図面に示す実施例に基づいて、この発明について説明する。
図１〜図３において、符号１０はドア、２０はドア１０に固定された錠箱、１は錠箱２０に固定ロッド１１等によって固定された取付筒、２は取付筒１に後方から差込まれ、後端をスペーサ３１を介して止め環３２で押え付けられたシリンダ錠の外筒、３３は取付筒１と外筒２との間に嵌め込まれた止めばね、５は外筒２内の内筒６の前端側に一体的に設けられ、外筒２及び取付筒１の前方の開口より突出させた主キーガイド、６１はシリンダ錠の内筒６の後端部に設けられたテイルピースである。
【００１０】
前記した主キーガイド５は横断面外形が円形をなし、その前方の突出部分の回りには、該主キーガイド５より大径の環状をなす副キーガイド７の厚さ方向における後方部が嵌め込まれている。
【００１１】
主キーガイド５の嵌込み部にはその回転中心軸線と平行をなす任意数（図示例では４本）の嵌め溝５１が設けてあり、また、副キーガイド７の嵌込み部にはその回転中心軸線と平行をなす任意数（図示例では４本）の突条７１が一体に設けてある。
【００１２】
主キーガイド５に対する副キーガイド７の装着においては、嵌め溝５１及び突条７１が相互に嵌め込まれているので、両者は一体化されて共に回転できるようにされている。
【００１３】
なお、主キーガイド５と副キーガイド７との間の回り止め手段としての嵌め溝５１及び突条７１に関しては、嵌め溝を副キーガイド７に、また、突条を主キーガイド５に設けるようにしてもよい。
【００１４】
図１及び図２に示すように、この実施例では、副キーガイド７が主キーガイド５に対し軸線方向に抜け出すことを阻止するために、保持筒８が上記の取付筒１の回りに装着してある。
【００１５】
保持筒８は内部材８１と外部材８２とを重合させて成り、その基部はかしめ付け手段８３等で取付筒１に固定してある。
【００１６】
保持筒８における外部材８２の先端部は内方に向け折り曲げられて副キーガイド７の前面部を押さえるためのストッパ部８４に形成してある。
【００１７】
図２において、符号８５は取付筒１の先端面及び保持筒８の先端側内面に囲まれた空間に装着された断面がＬ字状をなす受けリングで、副キーガイド７を支受するためのものであるが、この受けリング８５は必ずしも設けることを要しない。
【００１８】
なお、図１及び図２において、符号９は取付筒１及び保持筒８の嵌め合せ部分の回りに嵌め込まれた外形が円錐台状をなす化粧リングで、この化粧リング９は、取付筒１の回りに嵌め込まれた圧縮ばね９１を長さ方向について保持筒８の基端と化粧リング９のばね受け部９２との間に挟み込むことにより、その基端部をドア１０の表面に弾性的に当接させてある。
【００１９】
前記のような化粧リング９を圧縮ばね９１によりドア１０に弾接させる機構はドアの厚さに相違があってもそれに対応させるためのものである。
【００２０】
副キーガイド７の厚さ方向の前方部には前方を広くした四角錘状の第１案内孔７２を設けると共に、副キーガイド７の後方部には四角柱状の第２案内孔７３を設ける。
【００２１】
その第２案内孔７３は前部において第１案内孔７２に、後部において主キーガイド５の鍵孔５２にそれぞれ連通させてある。
【００２２】
そして、第１案内孔７２の最後部の横断面形及び第２案内孔７３の横断面形はいずれも主キーガイド５の鍵孔５２の正面形にほぼ外接する大きさの矩形に形成してある。
【００２３】
換言すると、主キーガイド５の鍵孔５２の正面形をほぼ過不足なく含む大きさの矩形に形成してある。
【００２４】
更に、前記の第１案内孔７２、第２案内孔７３及び主キーガイド５の鍵孔５２はそれぞれの中心軸線をほぼ一致させるようにして連なっている。
【００２５】
次に、この発明の鍵の差込み案内装置に対し用いられる鍵４の一例について図４及び図８において説明する。
【００２６】
鍵４は後に詳述するように副キーガイド７の第１案内孔７２及び第２案内孔７３を通じて主キーガイド５の鍵孔５２に差込まれるものであるが、図示例の鍵４は、平板状をなすステム部４１の平板面の一面又は両面にかしめ付け等により突設させたストッパとしてのピン状の突起４３を備えている。
【００２７】
この突起４３は、鍵４の差込み時、副キーガイド７における第１案内孔７２から第２案内孔７３に亘る内壁面に該副キーガイド７の中心軸線に沿うようにして設けた逃がし溝７４に嵌まり込み、逃がし溝７４の切り残された末端の当接部７５に衝合して鍵４のシリンダ錠に対する差込み深さ（長さ）を規制する。
【００２８】
前記の逃がし溝７４は図示例のように中心軸線を挟む位置に２つ設けてもよいし、１つだけ設けてもよい。また、逃がし溝７４の末端の当接部（７５）は設けなくてもよく、その場合、鍵４の突起４３は主キーガイド７の前面に衝合させるようにして鍵４の差込み深さを規制する。
【００２９】
但し、前述の突起４３は必須のものではない。突起（４３）を持たない鍵（図示しない）においては、例えば、鍵のつまみ（４２）の前端縁を副キーガイド７における前面又は第１案内孔７２の傾斜面に当接させることによって鍵の差込み深さを規制する。
【００３０】
次に、この発明に係る装置で鍵４をシリンダ錠に差込む作用について、図５〜図８において説明する。
【００３１】
先ず、鍵の差込み型式の別（鍵の平板面を水平にして差込むか、又は鉛直にして差込むかの別）に応じて鍵４を副キーガイド７の第１案内孔７２に差し向け、そのまま押し込むと、鍵先は第１案内孔７２の４つの傾斜面において中心軸線の回りの角度が規制され、次いで、第２案内孔７３において鍵４の中心軸線の傾きが正されて、その中心軸線は鍵孔５２の中心軸線と一致するところとなる。
【００３２】
なお、図７に示すように、第２案内孔７３のシリンダ錠軸線方向の長さは、鍵４の先端の尖り先のそれよりも長い方が望ましい。
【００３３】
ここで、鍵４は鍵孔５２に対する適正な姿勢が副キーガイド７の第２案内孔７３によって保たれるので、後は押し込むだけで済み、鍵４は鍵孔５２に極めてスムーズに差込まれる。
【００３４】
なお、副キーガイド７の一部又は全部を蓄光性成分を含有する高分子材料で製作すると、夜間等の暗がりではそれが発光するので、第１案内孔７２に対する鍵の差込み操作は一層楽なものとなる。
【００３５】
【発明の効果】
以上に説明したこの発明のシリンダ錠における鍵の差込み案内装置によれば、鍵先を副キーガイドの第１案内孔に差し向け、その後は鍵先で鍵孔を探ったり、鍵先の位置について意識的に微調整したりすることを要せず、単に、鍵を押し込むだけで鍵の正しい差込み姿勢が自動的にとられるので、特に夜間など暗がりにおける鍵の差込み操作を極めて楽にするという効果を奏する。
【図面の簡単な説明】
【図１】この発明のシリンダ錠における鍵の差込み案内装置の実施例を示す正面図。
【図２】その部分縦断側面図。
【図３】図１の実施例から取り外した副キーガイドの図で、（Ａ）は正面図、（Ｂ）は背面図、（Ｃ）は縦断平面図。
【図４】図１の実施例に対し用いられる鍵の一例を示す図で、（Ａ）は平面図、（Ｂ）は一部を断面にして示す側面図。
【図５】図１の実施例に対し鍵を差込む第１段階を示す部分縦断側面図。
【図６】同じく鍵の差込みの第２段階を平面的に示す説明図。
【図７】同じく鍵の差込みの第３段階を平面的に示す説明図。
【図８】同じく鍵の差込みの最終段階を示す部分縦断側面図。
【符号の説明】
５  主キーガイド
５２  鍵孔
７  副キーガイド
７２  第１案内孔
７３  第２案内孔
【図１】
0003984672.tif 000002
【図２】
0003984672.tif 000003
【図３】
0003984672.tif 000004
【図４】
0003984672.tif 000005
【図５】
0003984672.tif 000006
【図６】
0003984672.tif 000007
【図７】
0003984672.tif 000008
【図８】
0003984672.tif 000009